(57)【要約】【課題】ハウジングの嵌合現場における作業効率の向上を図る。【解決手段】コネクタは、カム溝３９が形成され、第１ハウジング１０に回転可能に設けた円形のギヤ３０と、ギヤ３０の外周に形成した複数の従動歯３８と、長さ方向に沿って並ぶ複数の駆動歯４３を有し、駆動歯４３を従動歯３８に噛み合わせた状態で長さ方向への相対変位を可能に第１ハウジング１０に取り付けられる帯状治具４０と、帯状治具４０が駆動歯４３を従動歯３８から外す方向へ変位するのを規制する規制部２５，２６と、駆動歯４３と従動歯３８が噛み合わされた状態でギヤ３０の変位を規制するストッパ２３とを備える。【選択図】図８
2014056662.tif 000002
【特許請求の範囲】
【請求項１】
第１ハウジングと、
カム溝が形成され、前記第１ハウジングに回転可能に設けた円形のギヤと、
前記ギヤの外周に形成された複数の従動歯と、
前記第１ハウジングと嵌合可能であり、前記カム溝に係合可能なカムフォロアを備えた第２ハウジングと、
長さ方向に沿って並ぶ複数の駆動歯を有し、前記駆動歯を前記従動歯に噛み合わせた状態で長さ方向への相対変位を可能に前記第１ハウジングに取り付けられる帯状治具と、
前記帯状治具が前記駆動歯を前記従動歯から外す方向へ変位するのを規制する規制部と、
前記駆動歯と前記従動歯が噛み合わされた状態で、前記ギヤと前記帯状治具のうち少なくとも一方の変位を規制するストッパとを備えていることを特徴とするコネクタ。
【請求項２】
前記駆動歯の強度が前記従動歯の強度よりも高く設定され、
前記帯状治具が、前記第１ハウジングと前記第２ハウジングの嵌合後に前記第１ハウジングから引き抜かれるようになっていることを特徴とする請求項１記載のコネクタ。
【請求項３】
前記ギヤの中心部に第１ハウジングの外面に露出するように形成され、汎用工具を嵌合させて前記ギヤを回転させることを許容する嵌合部を備えていることを特徴とする請求項２記載のコネクタ。
【請求項４】
前記ギヤが、前記カム溝に対する前記カムフォロアの進入を許容する初期位置にあるときに、前記ストッパが前記ギヤに係止して前記ギヤの回転を規制するようになっていることを特徴とする請求項１ないし請求項３のいずれか１項に記載のコネクタ。
【請求項５】
前記第１ハウジングの内部に形成され、前記ギヤのうち前記カム溝が形成されている領域を収容する収容空間と、
前記ギヤに形成され、前記第１ハウジングの外面に露出する露出部と、
前記第１ハウジングの外面と前記露出部とに形成され、前記ギヤが前記初期位置にあることを目視確認可能な指標部を備えていることを特徴とする請求項４記載のコネクタ。
【発明の詳細な説明】
【技術分野】
【０００１】
本発明は、コネクタに関するものである。
【背景技術】
【０００２】
特許文献１には、第１ハウジングと、カム溝を有し、第１ハウジング内に回転可能に設けられた円形のギヤと、カムフォロアを有する第２ハウジングと、長さ方向に沿って複数の歯が形成された帯状治具とを備えたコネクタが開示されている。このコネクタは、第１ハウジングと第２ハウジングを浅く嵌合してカムフォロアをカム溝に進入させた状態で、帯状治具の歯をギヤの外周の歯に噛み合わせ、帯状治具を長さ方向に引いてギヤを回転させることにより、カム溝とカムフォロアの係合によるカム作用によって、第１ハウジングと第２ハウジングを嵌合するようになっている。
【先行技術文献】
【特許文献】
【０００３】
【特許文献１】特開２０１２−０４３７４３号公報
【発明の概要】
【発明が解決しようとする課題】
【０００４】
上記のコネクタでは、帯状治具をギヤに噛み合わせるときに、帯状治具をギヤに対してその回転軸方向にずれた位置で第１ハウジング内に差し込み、差し込んだ帯状治具を回転軸方向にスライドさせてギヤに噛み合わせるようになっている。つまり、ギヤに噛み合わせた帯状治具は、ギヤの回転軸方向に変位させることによって、簡単にギヤから外れるようになっており、第１ハウジングと帯状治具を組み付けた状態のまま、第２ハウジングとの嵌合作業現場へ搬入することが難しい。そのため、嵌合作業現場では、嵌合作業の前に、帯状治具を第１ハウジングにセットする必要があり、作業効率が良くない。
本発明は上記のような事情に基づいて完成されたものであって、ハウジングの嵌合現場における作業効率の向上を図ることを目的とする。
【課題を解決するための手段】
【０００５】
上記の目的を達成するための手段として、本発明は、
第１ハウジングと、
カム溝が形成され、前記第１ハウジングに回転可能に設けた円形のギヤと、
前記ギヤの外周に形成された複数の従動歯と、
前記第１ハウジングと嵌合可能であり、前記カム溝に係合可能なカムフォロアを備えた第２ハウジングと、
長さ方向に沿って並ぶ複数の駆動歯を有し、前記駆動歯を前記従動歯に噛み合わせた状態で長さ方向への相対変位を可能に前記第１ハウジングに取り付けられる帯状治具と、
前記帯状治具が前記駆動歯を前記従動歯から外す方向へ変位するのを規制する規制部と、
前記駆動歯と前記従動歯が噛み合わされた状態で、前記ギヤと前記帯状治具のうち少なくとも一方の変位を規制するストッパとを備えているところに特徴を有する。
【発明の効果】
【０００６】
この構成によれば、ストッパによってギヤの変位を規制すれば、駆動歯と従動歯との噛み合いにより、帯状治具は第１ハウジングに組み付けられた状態に保持される。また、ストッパによって帯状治具の変位を規制しても、帯状治具は第１ハウジングに組み付けられた状態に保持される。本発明によれば、第１ハウジングと帯状治具を組み付けた状態のまま、第２ハウジングとの嵌合作業現場へ搬入することができるので、嵌合作業現場では、嵌合作業の前に帯状治具を第１ハウジングにセットする作業が不要となり、作業効率に優れる。
【図面の簡単な説明】
【０００７】
【図１】実施例１の第１ハウジングの斜視図
【図２】ギヤの斜視図
【図３】ギヤの平面図
【図４】帯状治具の側面図
【図５】第２ハウジングの斜視図
【図６】第１ハウジングにギヤと帯状治具を組み付けて変位規制した状態をあらわす斜視図
【図７】第１ハウジングにギヤと帯状治具を組み付けて変位規制した状態をあらわす正面図
【図８】図７のＡ−Ａ線断面図
【図９】図７のＢ−Ｂ線断面図
【図１０】第１ハウジングと第２ハウジングの嵌合を開始した状態をあらわす平断面図
【図１１】第１ハウジングと第２ハウジングの嵌合を開始した状態をあらわす斜視図
【図１２】第１ハウジングと第２ハウジングの嵌合が完了した状態をあらわす平断面図
【図１３】第１ハウジングと第２ハウジングが嵌合してギヤが変位規制されている状態をあらわす側断面図
【図１４】第１ハウジングと第２ハウジングの嵌合が完了した後、帯状治具をギヤから抜き取った状態をあらわす平断面図
【発明を実施するための形態】
【０００８】
本発明のコネクタは、
前記駆動歯の強度が前記従動歯の強度よりも高く設定され、
前記帯状治具が、前記第１ハウジングと前記第２ハウジングの嵌合後に前記第１ハウジングから引き抜かれるようになっていてもよい。
この構成によれば、両ハウジングが正規嵌合した後、駆動歯と従動歯の係止力を上回る操作力で帯状治具を変位させると、従動歯が塑性変形することによって、帯状治具がギヤから解離して第１ハウジングから外れる。駆動歯を塑性変形させることなく帯状治具を第１ハウジングから抜き取ることができるので、帯状治具の再使用が可能である。
【０００９】
本発明のコネクタは、
前記ギヤの中心部に第１ハウジングの外面に露出するように形成され、汎用工具を嵌合させて前記ギヤを回転させることを許容する嵌合部を備えていてもよい。
この構成によれば、両ハウジングを正規嵌合して帯状治具を第１ハウジングから抜き取った後、嵌合部に汎用工具を嵌合してギヤを回転させれば、両ハウジングを離脱させることができる。
【００１０】
本発明のコネクタは、
前記ギヤが、前記カム溝に対する前記カムフォロアの進入を許容する初期位置にあるときに、前記ストッパが前記ギヤに係止して前記ギヤの回転を規制するようになっていてもよい。
この構成によれば、ストッパによってギヤが初期位置に保持されるので、第２ハウジングとの嵌合現場では、ギヤと帯状治具を変位させることなく、直ちに、両ハウジングの嵌合作業を開始することができる。
【００１１】
本発明のコネクタは、
前記第１ハウジングの内部に形成され、前記ギヤのうち前記カム溝が形成されている領域を収容する収容空間と、
前記ギヤに形成され、前記第１ハウジングの外面に露出する露出部と、
前記第１ハウジングの外面と前記露出部とに形成され、前記ギヤが前記初期位置にあることを目視確認可能な指標部を備えていてもよい。
この構成によれば、第１ハウジングにギヤと帯状治具を組み付ける際には、カム溝の入口の位置を目視確認することはできないのであるが、第１ハウジングの指標部とギヤの指標部との位置関係を目視確認することにより、ギヤを初期位置に位置決めできる。
【００１２】
＜実施例１＞
以下、本発明を具体化した実施例１を図１〜図１４を参照して説明する。本実施例のコネクタは、第１ハウジング１０と、ギヤ３０と、帯状治具４０と、第２ハウジング５０とを備えて構成されている。尚、以下の説明において、第１ハウジング１０の前後方向については図８〜１０における左側を前側とし、第２ハウジング５０の前後方向については図１０における右側を前側という。
【００１３】
＜第１ハウジング１０＞
第１ハウジング１０は、合成樹脂製であり、図１，７，９に示すように、ブロック状の端子収容部１１と、角形のフード部１３とを一体に形成して構成されている。端子収容部１１の内部には、第１ハウジング１０の後方から周知形態の雄端子金具１２が挿入されている。フード部１３は、下壁部１４と左右両側壁部１５と上壁部１６とで構成されている。下壁部１４は、端子収容部１１の下面壁の前端から前方へ延出した形態である。左右両側壁部１５は、下壁部１４の左右両側縁及び端子収容部１１の左右両側縁の上端から上方へ延出した形態である。上壁部１６は、端子収容部１１の上方において、左右両側壁部１５の上端縁同士を連結した形態である。
【００１４】
図８，９に示すように、フード部１３内の空間のうち端子収容部１１よりも前方の領域は、第２ハウジング５０を嵌入させるための嵌合空間１７となっている。フード部１３内の空間のうち端子収容部１１よりも上方の領域は、ギヤ３０を収容するための収容空間１８となっている。収容空間１８は、第１ハウジング１０の前端から後端まで貫通している。嵌合空間１７の上端領域と収容空間１８の前端側領域とは、共用の空間となっている。
【００１５】
図１に示すように、上壁部１６の左右方向における中央部には、内周に係止縁部２０を有する円形の軸受孔１９が貫通して形成されている。上壁部１６の上面（外面）における軸受孔１９の孔縁には、目視による識別が可能な初期位置用指標部２１（本発明の構成要件である指標部）と嵌合位置用指標部２２が、周方向に所定の角度の間隔を空けて形成されている。
【００１６】
上壁部１６には、略Ｕ字形のスリットで囲まれた形態のストッパ２３が形成されている。ストッパ２３は、後方へ片持ち状に延出した形態であり、上下方向（ギヤ３０の変位方向と交差する方向）に弾性撓み可能である。ストッパ２３の後端部（延出端部）には、下方（収容空間１８内に突出する方向）に突出する係止突起２４が形成されている。ストッパ２３は、ギヤ３０を初期位置と嵌合位置とに選択的に保持するための手段として機能する。
【００１７】
図８に示すように、フード部１３を構成する壁部のうち左側の側壁部１５は、第１規制部２５（本発明の構成要件である規制部）として機能する。また、図７に示すように、上壁部１６における左側縁部と、端子収容部１１の上面における左側縁部は、互いに上下に対向する上下一対の第２規制部２６（本発明の構成要件である規制部）となっている。第１規制部２５と第２規制部２６は、帯状治具４０がギヤ３０を回転させる方向（前後方向）へ変位することは許容する。しかし、第１規制部２５は、帯状治具４０が駆動歯４３を従動歯３８から径方向（つまり、左方）方向に外す方向へ変位するのを規制する。また、第２規制部２６は、帯状治具４０が駆動歯４３を従動歯３８から上下に外す方向へ変位するのを規制する。つまり、規制部２５，２６は、帯状治具４０がギヤ３０と噛み合う状態を保持するための手段として機能する。
【００１８】
＜ギヤ３０＞
ギヤ３０は、合成樹脂製であり、図２，３に示すように、円板形をなす。ギヤ３０の上面中央部には、軸部３１（本発明の構成要件である露出部）が突出形成されている。軸部３１は、中央部に配された角柱部３２と、角柱部３２の各辺と対向するように配置された４つの櫛形をなす弾性係止片３３とから構成されている。軸部３１には、角柱部３２の上面を六角形状に凹ませた形態の嵌合部３４が形成されている。４つの弾性係止片３３のうち１つの弾性係止片３３の上面には、三角形状をなすことで目視による認識可能な可動側指標部３５（本発明の構成要件である指標部）が形成されている。
【００１９】
ギヤ３０の上面には、ギヤ３０を初期位置に保持するための初期位置用係止溝３６と、ギヤ３０を嵌合位置に保持するための嵌合位置用係止溝３７が形成されている。初期位置用係止溝３６と嵌合位置用係止溝３７は、軸部３１（ギヤ３０の回転中心）から径方向外方へ外れた位置に配され、互いに周方向に離間している。
【００２０】
ギヤ３０の外周には、複数の従動歯３８が、全周に渡って一定ピッチで連続して形成されている。ギヤ３０には、その下面を凹ませた形態のカム溝３９が形成されている。カム溝３９の入口３９Ｅは、ギヤ３０の外周面に開口している。ギヤ３０の奥端は、周方向において入口３９Ｅから離間し、且つ径方向において入口３９Ｅよりも内側に位置している。
【００２１】
ギヤ３０は、第１ハウジング１０の前方から収容空間１８内に組み付けられる。このとき、軸部３１が上壁部１６と干渉するのを回避するために、上壁部１６を上方へ弾性変形させる。ギヤ３０が収容空間１８内に所定の組付位置に至ると、上壁部１６を弾性復帰させ、軸部３１を軸受孔１９に嵌合させる。このとき、４つの弾性係止片３３を、一旦、内側（角柱部３２に接近する方向）へ弾性変形させた後、係止縁部２０に対して外面側（上面側）から係止させる。これにより、軸部３１が、上壁部１６に対して上下方向（軸部３１の軸線方向）への相対変位を規制された状態に嵌合される。
【００２２】
これにより、ギヤ３０は、上下方向の軸（軸部３１と軸受孔１９）を中心として回転し得るように第１ハウジング１０に組み付けられる。組付け状態では、ギヤ３０のうち軸部３１を除いた大部分が収容空間１８の内部に収容され、軸部３１の上面が上壁部１６の上面に露出する。ギヤ３０のうち前端側の領域（軸部３１よりも前方の領域）は、端子収容部１１よりも前方へ突出するように位置する。また、ギヤ３０の左端部では、従動歯３８の一部が、前後方向に真っ直ぐ延びる第１規制部２５と径方向に対向している。
【００２３】
ギヤ３０が初期位置にある状態では、図９に示すように、ストッパ２３の係止突起２４が初期位置用係止溝３６に係止し、ストッパ２３のセミロック機能により、ギヤ３０が回転規制される。ギヤ３０が初期位置にある状態ではカム溝３９の入口３９Ｅが前方に向かって開口する。初期位置用係止溝３６と係止突起２４との係止力を上回る回転力がギヤ３０に作用すると、ストッパ２３による回転規制が解除される。また、ギヤ３０が嵌合位置にある状態では、図１３に示すように、ストッパ２３の係止突起２４が嵌合位置用係止溝３７に係止し、ストッパ２３セミロック機能により、ギヤ３０が回転規制される。嵌合位置用係止溝３７と係止突起２４との係止力を上回る回転力がギヤ３０に作用すると、ストッパ２３による回転規制が解除される。
【００２４】
＜帯状治具４０＞
帯状治具４０は、両ハウジング１０，５０を嵌合するときに用いる合成樹脂製の治具である。図４に示すように、帯状治具４０は、長尺の帯状をなす本体部４１と、本体部４１の基端部に繋がる操作部４２とを一体に形成したものである。操作部４２の幅寸法（両ハウジング１０，５０を嵌合する際には、上下方向の寸法）は、本体部４１の幅寸法よりも大きいので、操作部４２の手で掴み易くなっている。本体部４１の表面には、複数の駆動歯４３が、長さ方向に一定ピッチ（従動歯３８と同じピッチ）で並ぶように形成されている。帯状治具４０は、ギヤ３０よりも強度の高い材料からなる。
【００２５】
＜第２ハウジング５０＞
第２ハウジング５０は、合成樹脂製であり、図５に示すように、全体としてブロック状をなしている。図１３に示すように、第２ハウジング５０内には、周知形態の雌端子金具５３が収容されている。第２ハウジング５０の上面には、円柱状のカムフォロア５１が突出形成されている。第２ハウジング５０の上面における左側縁部には、左右一対のガイドリブ５２が形成されている。
【００２６】
＜嵌合の作業工程＞
両ハウジング１０，５０を嵌合する際には、予め、ギヤ３０と帯状治具４０を、同時に第１ハウジング１０に組み付けておく。このとき、図８に示すように、ギヤ３０が初期位置となるようにして、ストッパ２３によりギヤ３０を回転規制状態にする。ギヤ３０が初期位置に保持されることにより、カム溝３９の入口３９Ｅが第１ハウジング１０の前方に向かって開口し、カム溝３９の入口３９Ｅにカムフォロア５１が進入できる状態となる。
【００２７】
一方、帯状治具４０は、駆動歯４３を従動歯３８に対しギヤ３０の左方から噛み合わせ、本体部４１を前後方向に向けた状態で、ギヤ３０と一緒に第１ハウジング１０の前方から収容空間１８内に収容する。本体部４１のうち基端側（操作部４２側）の所定長さの領域と操作部４２は、第１ハウジング１０の前方（第１ハウジング１０に対する第２ハウジング５０の嵌合方向とは反対方向）へ突出させておく。帯状治具４０を第１ハウジング１０に組み付けた状態では、本体部４１の裏面（駆動歯４３とは反対側の面）が、第１規制部２５に対し当接又は接近して対向する。また、本体部４１が、一対の第２規制部２６によって上下に挟まれた状態となる。この第１規制部２５と第２規制部２６により、帯状治具４０は、駆動歯４３を従動歯３８に噛み合わせた状態に保持される。
【００２８】
帯状治具４０は、その駆動歯４３を従動歯３８に噛み合わせることにより、ギヤ３０に対して接線方向（前後方向）への相対変位を規制されている。そして、ギヤ３０は、ストッパ２３の係止作用によって初期位置において回転規制された状態に保持されている。したがって、帯状治具４０とギヤ３０は、第１ハウジング１０に対し相対変位を規制された組付け状態に保持される。これにより、第１ハウジング１０とギヤ３０と帯状治具４０を、１つのユニットとして保管、運搬することができる。
【００２９】
このユニット化した第１ハウジング１０とギヤ３０と帯状治具４０は、両ハウジング１０，５０の嵌合現場へ搬入される。嵌合する際には、図１０に示すように、第２ハウジング５０を第１ハウジング１０のフード部１３内に浅く嵌入し、カムフォロア５１をカム溝３９の入口３９Ｅに進入させるとともに、帯状治具４０の本体部４１を、第１ハウジング１０前方において左右一対のガイドリブ５２の間に通す。その後、第１ハウジング１０と操作部４２を掴み、帯状治具４０を第１ハウジング１０に対してその前方へ相対変位させるように引っ張る。このときの帯状治具４０の引張り方向は、第１ハウジング１０に対する第２ハウジング５０の嵌合方向とは反対方向である。また、本体部４１がガイドリブ５２の間に通されているので、帯状治具４０の左右方向の位置が安定する。帯状治具４０の変位経路は、ギヤ３０の外周に対して接線状の直線経路である。
【００３０】
帯状治具４０を引っ張ると、ストッパ２３が弾性変形して係止突起２４が初期位置用係止溝３６から外れ、駆動歯４３と従動歯３８との噛み合いにより、ギヤ３０が初期位置から嵌合位置に向かって回転する。ギヤ３０の回転に伴い、カム溝３９とカムフォロア５１との係合によるカム作用により、第２ハウジング５０が第１ハウジング１０（フード部１３）内に引き込まれて、嵌合が進む。そして、ギヤ３０が嵌合位置に到達すると、図１２に示すように、両ハウジング１０，５０が正規の嵌合状態となる。
【００３１】
ギヤ３０が嵌合位置に到達すると、図１３に示すように、ストッパ２３が弾性復帰して、係止突起２４が嵌合位置用係止溝３７に係止し、この係止作用により、ギヤ３０が嵌合位置に保持される。そして、カム溝３９とカムフォロア５１の係合により、両ハウジング１０，５０が正規嵌合状態に保持される。また、ギヤ３０が嵌合位置に到達した状態では、駆動歯４３と従動歯３８が本体部４１の先端近くで噛み合ったままであるが、これは、ギヤ３０が嵌合位置に到達する前に駆動歯４３が従動歯３８から外れてしまうのを防止するためである。
【００３２】
両ハウジング１０，５０が正規嵌合すると、ギヤ３０がストッパ２３の係止により回転規制されるとともに、第２ハウジング５０が端子収容部１１の前端面に突き当たって前止まりされるため、その衝撃が、作業者の操作部４２を掴む手に伝わる。この後、作業者は、操作部４２を掴んだまま、帯状治具４０を強く引っ張る。引張力が、従動歯３８の強度を上回ると、従動歯３８が、駆動歯４３により削られるように塑性変形させられ、図１４に示すように、ギヤ３０は回転せずに嵌合位置に保持されたままで、帯状治具４０が引き抜かれる。以上により、両ハウジング１０，５０の嵌合作業が完了する。
【００３３】
両ハウジング１０，５０を正規嵌合して帯状治具４０を第１ハウジング１０から抜き取った後、嵌合状態の両ハウジング１０，５０を離脱させる際には、図１４に示すように、第１ハウジング１０の外面（上面）に露出している嵌合部３４に六角レンチ５５（本発明の構成要件である汎用工具）を嵌めて、ギヤ３０を初期位置側へ回転させる。すると、カム溝３９とカムフォロア５１との係合によるカム作用により、両ハウジング１０，５０が離脱する。
【００３４】
本実施例のコネクタは、カム溝３９が形成されたギヤ３０と、ギヤ３０の外周に形成された従動歯３８と、カム溝３９に係合可能なカムフォロア５１を備えた第２ハウジング５０と、長さ方向に沿って並ぶ複数の駆動歯４３を有し、駆動歯４３を従動歯３８に噛み合わせた状態で長さ方向への相対変位を可能に第１ハウジング１０に取り付けられる帯状治具４０と、帯状治具４０が駆動歯４３を従動歯３８から外す方向へ変位することを規制する第１規制部２５及び第２の規制部と、駆動歯４３と従動歯３８が噛み合わされた状態でギヤ３０の変位を規制するストッパ２３とを備えている。
【００３５】
この構成によれば、ストッパ２３によってギヤ３０の変位を規制すれば、駆動歯４３と従動歯３８との噛み合いにより、帯状治具４０は第１ハウジング１０に組み付けられた状態に保持される。これにより、第１ハウジング１０と帯状治具４０を組み付けた状態のまま、第２ハウジング５０との嵌合作業現場へ搬入することができるので、嵌合作業現場では、嵌合作業の前に帯状治具４０を第１ハウジング１０にセットする作業が不要となり、作業効率に優れる。
【００３６】
また、本実施例のコネクタは、駆動歯４３の強度が従動歯３８の強度よりも高く設定され、帯状治具４０が、両ハウジング１０，５０の嵌合後に第１ハウジング１０から引き抜かれるようになっている。この構成によれば、両ハウジング１０，５０が正規嵌合した後、駆動歯４３と従動歯３８の係止力を上回る操作力で帯状治具４０を変位させると、従動歯３８が塑性変形することによって、帯状治具４０がギヤ３０から解離して第１ハウジング１０から外れる。駆動歯４３を塑性変形させることなく帯状治具４０を第１ハウジング１０から抜き取ることができるので、帯状治具４０の再使用が可能である。
【００３７】
本実施例のコネクタは、ギヤ３０が、カム溝３９に対するカムフォロア５１の進入を許容する初期位置にあるときに、ストッパ２３がギヤ３０に係止してギヤ３０の回転を規制するようになっている。この構成によれば、ストッパ２３によってギヤ３０が初期位置に保持されるので、第２ハウジング５０との嵌合現場では、ギヤ３０と帯状治具４０を変位させることなく、直ちに、両ハウジング１０，５０の嵌合作業を開始することができる。
【００３８】
本実施例のコネクタは、第１ハウジング１０の内部に、ギヤ３０のうちカム溝３９が形成されている領域を収容する収容空間１８が形成されているため、第１ハウジング１０にギヤ３０と帯状治具４０を組み付ける際には、カム溝３９の入口３９Ｅの位置を目視確認することはできない。しかし、ギヤ３０に、第１ハウジング１０の外面に露出する軸部３１を形成し、第１ハウジング１０の外面に初期位置用指標部２１を形成し、軸部３１の外面に可動側指標部３５を形成し、ギヤ３０が初期位置にあるときに、可動側指標部３５が初期位置用指標部２１と対応する位置関係となるようにした。この構成によれば、可動側指標部３５と初期位置用指標部２１の位置関係を目視確認することにより、ギヤ３０を初期位置に位置決めできる。
【００３９】
＜他の実施例＞
本発明は上記記述及び図面によって説明した実施例に限定されるものではなく、例えば次のような実施例も本発明の技術的範囲に含まれる。
（１）上記実施例では、両ハウジングを嵌合する際に、帯状治具を引っ張り操作するようにしたが、帯状治具を第１ハウジング内に押し込むことによって両ハウジングを嵌合するようにしてもよい。
（２）上記実施例では、両ハウジングを嵌合する際に、帯状治具を第１ハウジングに対する第２ハウジングの嵌合方向とは反対方向（つまり、第１ハウジングの前方）へ引っ張るようにしたが、帯状治具を第１ハウジングに対する第２ハウジングの嵌合方向と平行な方向（つまり、第１ハウジングの後方）へ引っ張るようにしてもよく、両ハウジングの嵌合方向と交差する方向へ引っ張るようにしてもよい。
（３）上記実施例では、帯状治具がギヤの外周に対して接線状の直線経路に沿って変位させるようにしたが、帯状治具を円弧状に湾曲させてギヤの外周における所定の角度範囲に亘って噛み合わせるようにしてもよい。
（４）上記実施例では、両ハウジングが正規嵌合した後、帯状治具を抜き取る際に、帯状治具の駆動歯を変形させずに、ギヤの従動歯を削るように変形（塑性変形）させたが、帯状治具を抜き取る際には、ギヤの従動歯が変形せずに帯状治具の駆動歯が塑性変形するようにしてもよく、帯状治具の駆動歯とギヤの従動歯の両方が塑性変形するようにしてもよい。
（５）上記実施例では、両ハウジングが正規嵌合した後、帯状治具を第１ハウジングから抜き取るようにしたが、両ハウジングが正規嵌合した後、帯状治具を第１ハウジングに組み付けたままにしておいてもよい。
（６）上記実施例では、ストッパをギヤのみに係止させるようにしたが、ストッパは、ギヤと帯状治具の両方に係止させてもよく、帯状治具のみに係止させてもよい。
（７）上記実施例では、ストッパを第１ハウジングに一体形成したが、ストッパは、ギヤに一体形成して第１ハウジング又は帯状治具に係止させてもよく、帯状治具に一体に形成して第１ハウジング又はギヤに係止させてもよい。
（８）上記実施例では、ギヤの数を１つとしたが、複数のギヤを両ハウジングの嵌合方向と直交する方向に並べ、この複数のギヤを１つの帯状治具で同期回転させることによって、両ハウジングを嵌合させてもよい。このようにすれば、両ハウジング間の嵌合過程における姿勢の傾きを防止できる。また、複数のギヤを１つの帯状治具で同期回転させる形態としては、複数のギヤの外周に対して帯状治具を接線状に配し、帯状治具を両ハウジングの嵌合方向と直角な方向に変位させる形態や、接近して配置した２つのギヤの間に帯状治具を配し、帯状治具を両ハウジングの嵌合方向と平行に変位させる形態が可能である。
（９）上記実施例では、第１ハウジングに第２ハウジングを嵌入させるためのフード部を形成し、このフード部内にギヤを収容したが、第１ハウジングの外面を浅く凹ませた形態の収容凹部を形成し、この収容凹部内にギヤを収容するとともに、第１ハウジングとギヤを、第２ハウジングに形成したフード部内に嵌入させるようにしてもよい。
（１０）上記実施例では、ギヤの中心部に、第１ハウジングの外面に露出する嵌合部を形成し、この嵌合部に汎用工具を嵌合させることによってギヤを回転させることができるようにしたが、ギヤは、このような嵌合部を形成しない形態であってもよい。
（１１）上記実施例において、帯状治具と第１ハウジングにセンサを取り付け、両ハウジングが嵌合した後、帯状治具が第１ハウジングに組み付けられたままであるか、帯状治具が第１ハウジングから抜き取られたかを検知するようにしてもよい。
【符号の説明】
【００４０】
１０…第１ハウジング
１８…収容空間
２１…初期位置用指標部（第１ハウジングの指標部）
２３…ストッパ
２５…第１規制部（規制部）
２６…第２規制部（規制部）
３０…ギヤ
３１…軸部（露出部）
３４…嵌合部
３５…可動側指標部（ギヤの指標部）
３８…従動歯
３９…カム溝
４０…帯状治具
４３…駆動歯
５０…第２ハウジング
５１…カムフォロア
５５…六角レンチ（汎用工具）
【図１】
2014056662.tif 000003
【図２】
2014056662.tif 000004
【図３】
2014056662.tif 000005
【図４】
2014056662.tif 000006
【図５】
2014056662.tif 000007
【図６】
2014056662.tif 000008
【図７】
2014056662.tif 000009
【図８】
2014056662.tif 000010
【図９】
2014056662.tif 000011
【図１０】
2014056662.tif 000012
【図１１】
2014056662.tif 000013
【図１２】
2014056662.tif 000014
【図１３】
2014056662.tif 000015
【図１４】
2014056662.tif 000016